(57)【要約】【課題】 災害発生時の誘導灯となり、避難警告を発したり、災害の状況などの情報を報知したり、避難方向を報知する機能を備えた避難誘導灯システムの提供。【解決手段】本発明にかかる避難誘導システムは、所定の範囲内に人体が存在しているときに、所定の緊急放送等を発するとともに、所定の文字もしくは映像を表示することもできる。さらに、明るさもしくは風力をエネルギー源として発電する発電手段と、蓄電手段とを備えた電源手段を備えている。【選択図】図１
2008140600.tif 000002
【特許請求の範囲】
【請求項１】
地面に固定された自立式支柱と、
前記自立式支柱から所定の範囲内に人体が存在しているときに人体検知信号を出力する人体検知手段と、
発音制御信号に基づいて所定の音を発する発音手段と、
表示制御信号に基づいて所定の文字もしくは映像を表示する表示手段と、
前記人体検知信号が入力されているときに、前記発音制御信号もしくは前記表示制御信号を出力する制御手段と、
周囲が暗くなったときに自動的に点灯する常夜灯と、
明るさもしくは風力をエネルギー源として発電する発電手段と、
前記発電手段で発電された電力を蓄電する蓄電手段と、
前記蓄電手段に蓄電された電力を、各手段に供給する電源手段と、
を備えていることを特徴とする避難誘導灯。
【請求項２】
前記発音手段は、前記発音制御信号に基づいて、予め設定された周波数の緊急放送を受信して放送内容を発音することを特徴とする請求項１に記載の避難誘導灯。
【請求項３】
前記表示手段は、前記表示制御信号に基づいて、所定の表示パターンを表示することを特徴とする請求項１、２の何れか１項に記載の避難誘導灯。
【請求項４】
前記常夜灯は、少なくとも一部に散光性の文字もしくは図形のパターンが形成されたパネルと、前記パネルの背面から照射する発光ダイオード光源とを備えていることを特徴とする請求項１、２、３の何れか１項に記載の避難誘導灯。
【発明の詳細な説明】
【技術分野】
【０００１】
本発明は、太陽光などの明るさや風力などの自然エネルギーを元にして発電する機能を備えて、災害時の誘導・案内・報知などを行う自立式の表示灯に関するものである。
【背景技術】
【０００２】
従来より、太陽電池パネルなどの発電手段を備えたポール状の表示灯が特許文献１などに記載されている。
特許文献１に記載された装置は、支柱の下部の内部に収容室に蓄電池を配置し、支柱の上部に設けた太陽電池で発電した電力を前記蓄電池に充電し、夜間には前記蓄電池に蓄えられた電力で、支柱の上部に配設された灯を点灯させるように構成されたものである。
【０００３】
【特許文献１】特開２００１−３５７７０６号公報
【発明の開示】
【発明が解決しようとする課題】
【０００４】
ところが、上述したような従来の表示灯は、単なる表示灯であって、災害時などにおいて非難すべき方向を指し示すこともできず、災害情報を報知することもできなかった。
【０００５】
そこで、本発明は、平常時は表示灯であるが、災害時には避難警告を発したり、災害の状況などの情報を報知したり、避難方向を報知する機能を備えた避難誘導灯システムの提供を目的としてなされたものである。
【課題を解決するための手段】
【０００６】
本発明にかかる避難誘導システムにおいては、
地面に固定された自立式支柱と、
前記自立式支柱から所定の範囲内に人体が存在しているときに人体検知信号を出力する人体検知手段と、
発音制御信号に基づいて所定の音を発する発音手段と、
表示制御信号に基づいて所定の文字もしくは映像を表示する表示手段と、
前記人体検知信号が入力されているときに、前記発音制御信号もしくは前記表示制御信号を出力する制御手段と、
周囲が暗くなったときに自動的に点灯する常夜灯と、
明るさもしくは風力をエネルギー源として発電する発電手段と、
前記発電手段で発電された電力を蓄電する蓄電手段と、
前記蓄電手段に蓄電された電力を、各手段に供給する電源手段と、
を備えている。
請求項２では、
前記発音手段は、前記発音制御信号に基づいて、予め設定された周波数の緊急放送を受信して放送内容を発音する。
請求項３では、
前記表示手段は、前記表示制御信号に基づいて、所定の表示パターンを表示する。
請求項４では、
前記常夜灯は、少なくとも一部に散光性の文字もしくは図形のパターンが形成されたパネルと、前記パネルの背面から照射する発光ダイオード光源とを備えている。
【発明の効果】
【０００７】
本発明の避難誘導灯システムによれば
所定の範囲内に人体が存在しているときには、発音手段から避難場所を案内する音声や、災害放送の音声などを発し、人体が離れると発音は停止するので、必要なときだけ効果的に案内することができるとともに、電力の無駄遣いを減らして、電力の供給を長持ちさせる。
また、太陽光だけでなく風力発電もできるので、十分な電力を得ることができるとともに、夜間であっても風が吹けば発電することができる。
以上のようにして、外部からの電力の供給を必要とせず、夜間の表示灯としての機能や避難場所の案内誘導システムとしての機能を実現することができるのである。
【発明を実施するための最良の形態】
【０００８】
以下に、本発明にかかる避難誘導システムを、その実施の形態を示した図面に基づいて詳細に説明する。
図１、２に示したように、
１は自立式の支柱であり、地面等に立設されている。
２は前記支柱１の上端に配設された太陽光発電ユニットであり、南向きに傾斜して設置されている。
３は前記支柱１の上部の一側部に配設された風力発電ユニットであり、種々の方向からの風によって回転する風車と、風車の回転エネルギーで発電する発電機とを備えている。
【０００９】
４は前記支柱の中間部に配設された制御ボックスであり、図３に示したように、電源装置４１と、制御装置４２と、災害放送受信装置４３とが内蔵されている。
前記電源装置４１は、前記太陽光発電ユニット２にて発電した電力と、前記風力発電ユニット３で発電した電力とを充電して蓄えるバッテリーと、このバッテリーの充電・給電を制御するための充電・給電制御回路とを備えている。
【００１０】
５は前記支柱１の上部の他側部に配設された表示ユニットであり、前記制御ボックス４の電源装置４１から給電された電力を用い、前記制御装置４２から出力された表示制御信号に基づいた表示パターンを表示する。
前記表示ユニット５には、透明アクリル板５１に、避難誘導マーク５２と、避難場所の方向を指し示す矢印マーク５３とが文字や図形のパターンとして表示されており、夜間には、前記透明アクリル板５１の側端に配設された光源５５からの光によって、前記マークが浮かび上がるように形成されている。前記マークの部分のアクリル板の部分はスリガラス状に微小凹凸を形成して散光性に加工され、背面の側方の発光ダイオードを用いた光源５５からの光が乱反射して光って、前記マーク等が浮かび上がるように構成されている。
この光源５５は前記制御装置４２からの表示制御信号に基づいて制御される。
【００１１】
前記制御ボックス４の前面パネルには、大型のドットマトリクス式のＬＥＤ表示器４５と、大型のデジタル時計表示器４６が配設されている。
前記ＬＥＤ表示器４５と、前記デジタル時計表示器４６とは、前記制御ボックス４に内蔵されている制御装置４２からの表示制御信号に基づいて所定の案内文字や、時刻などが表示されるように構成されている。
また、前記制御ボックス４の下面には、スピーカ４７と、常夜灯としてのＬＥＤ表示灯４８と、人体検知センサー４９と、照度センサー５６が配設されている。
前記スピーカ４７は、前記制御装置４２から出力される発音制御信号に基づいて、前記災害放送受信装置４３にて受信した放送内容や、当該地域の避難場所を案内する音声を音声出力するように構成されている。
前記ＬＥＤ表示灯４８は、制御装置４２から出力される表示制御信号もしくは、前記照度センサー５６からの信号等に基づいて所定のパターンで点灯もしくは点滅し、常夜灯として機能するように構成されている。
【００１２】
以上の構成によって、本発明にかかる避難誘導灯システムによれば、通常時の昼間は、太陽光発電ユニットと風力発電ユニットで発電した電力をバッテリーに充電しておき、夜間になると、前記充電した電力を用いて、前記表示ユニット５の光源５５を点灯させて、避難誘導マーク５２と、避難場所の方向を指し示す矢印マーク５３とを浮かびあがらせるように表示し、さらに、前記制御ボックス４の下面に配設されたＬＥＤ表示灯４８を点灯させ、また、前記制御ボックス４の表面に配設されたＬＥＤ表示器４５とデジタル時計表示器４６とを発光させる。このように、ＬＥＤ表示灯４８とＬＥＤ表示器４５とを発光させることによって、通常の夜間は常夜灯として機能する。これらの昼夜の区別は前記照度センサー５６によって行う。
【００１３】
また、前記人体検知センサー４９の検知範囲（例えば半径５ｍ以内）に人が近づくと、人体検知信号が出力され、この人体検知信号は前記制御装置４２に入力され、前記性装置４２からは発音制御信号が出力される。
発音制御信号が出力されると前記災害放送受信装置が作動し、災害放送を受信して、前記スピーカ４７から音声出力する。
このスピーカ４７からは災害放送だけではなく、予め設定された、当該地域の避難場所を案内する案内音声も、切り換えて出力する。
前記人体検知センサー４９からの人体検知信号が有効になるのは、災害発生時だけになるように前記制御装置４２で制御してもよい。このときは、災害の発生していない通常時は、人が近づいても発声しない。
【実施例１】
【００１４】
実施例１では、
前記支柱１は、直径７５mmのスチール焼付け塗装が施され、高さ４ｍの支柱とし、前記太陽光発電ユニットは、アルミフレームを備えたＰＶモジュール２３Ｗ、外寸380×820mmとした。
前記風力発電ユニットの風車は、風向きの影響を受けないように、径350mm、高さ750mmのサボニウス型風車とし、風力４ｍ／Ｓで１Ｗ、風力１２ｍ／Ｓで１７Ｗ程度の発電量が得られるようにした。縦軸を持ったサボニウス型風車としたので、各方位からの風を受けて発電することができるが、他の型式の風車としてもよいことは当然である。
前記バッテリーは、１２Ｖ１７Ａｈ容量のシリコンバッテリーを使用した。
また、前記人体検知センサの検知範囲は半径５ｍとした。
【００１５】
前記ＬＥＤ表示器６としては、例えば３５個のＬＥＤユニットを並べて、５×７のドットマトリクス式の表示器とした。このＬＥＤ表示器６を用いることによって、37mm角程度
の大きな文字を表示して、順次表示文字を切り換えて、多くの文字情報を表示することができる。例えば「ヒ」、「ナ」、「ン」、「バ」、「シ」、「ョ」、「ワ」、「テ」、「ン」、「ジ」、「ン」、「ヤ」、「マ」、「デ」、「ス」などと、避難場所を繰り返し表示して案内することができる。
並行して、前記スピーカからは「避難場所は天神山です。」と繰り返し案内するとよい。
【００１６】
また、前記表示ユニット５はガラス板ではなく、アクリル板を使用したので、割れにくく安全性が高い。また、この表示ユニット５のアクリル板は、図４に示したように、マーク５２や矢印５３などを散光性をもたせて形成したアクリル板を、ステンレス製の枠５７で保持して、前記支柱１に取り付けた。前記枠５７の内側に光源５５を配設した。
なお、制御ボックスの裏面には、広告表示部を形成したので、広告掲示料を得ることができる。
【図面の簡単な説明】
【００１７】
【図１】本発明にかかる避難誘導システムの実施の形態の正面図である。
【図２】前記避難誘導システムの側面図である
【図３】前記避難誘導システムの制御ブロック図である
【図４】前記避難誘導システムの表示ユニットの分解斜視図である
【符号の説明】
【００１８】
１  支柱
２  太陽光発電ユニット、発電手段
３  風力発電ユニット、発電手段
４  制御ボックス
５  表示ユニット、表示手段
４１  電源装置、バッテリー
４２  制御装置
４３  災害放送受信装置
４７  発音手段
４８  表示手段、表示灯
４９  人体検知センサー、人体検知手段
【図１】
2008140600.tif 000003
【図２】
2008140600.tif 000004
【図３】
2008140600.tif 000005
【図４】
2008140600.tif 000006